(57)【要約】【課題】表示部を有する携帯端末において、容易に表示部を縦長状態から横長状態に切換自在とすることと、全体の厚さを薄くすることとを両立させる。【解決手段】第１の筐体３の表面に上下方向に長い縦長の液晶表示部２を設ける。第２の筐体５の上端側に表面から左右方向に亘って膨出するカメラ収容部６を設け、このカメラ収容部６よりも下側に操作部４を設ける。第１の筐体３を第２の筐体５に設けたカム機構１０（支持機構）を介して第２の筐体５の表面上を回転しながら、第２の筐体５の表面側から見て第２の筐体５と重なり合う縦長状態又は第２の筐体５に対して垂直となり、操作部４が露出する横長状態に切換自在に支持する。【選択図】図５
2008244542.tif 000002
【特許請求の範囲】
【請求項１】
表面に上下方向に長い縦長の表示部が設けられた第１の筐体と、
上端側に表面から左右方向に亘って膨出するカメラ収容部を有し、且つ該カメラ収容部よりも下側に操作部を有する第２の筐体とを備え、
上記第１の筐体は、上記第２の筐体に設けた支持機構を介して上記第２の筐体の表面上を回転しながら、該第２の筐体の表面側から見て第２の筐体と重なり合う縦長状態又は該第２の筐体に対して垂直となり、上記操作部が露出する横長状態に切換自在に支持され、
上記支持機構は、カム機構よりなる
ことを特徴とする携帯端末。
【請求項２】
請求項１に記載の携帯端末であって、
上記カメラ収容部には、光学ズーム機能を備えたカメラが収容されている
ことを特徴とする携帯端末。
【請求項３】
請求項１又は２に記載の携帯端末であって、
上記カム機構は、
上記第１の筐体が縦長状態又は横長状態に切換操作されるときに、一方の上端側コーナー部が上記カメラ収容部の左右に伸びる下面に略平行に移動するように構成されている
ことを特徴とする携帯端末。
【請求項４】
請求項１乃至３のいずれか１つに記載の携帯端末において、
上記第１の筐体の横長状態における左右方向中央部は、第２の筐体の左右方向中央に位置している
ことを特徴とする携帯端末。
【請求項５】
請求項１乃至４のいずれか１つに記載の携帯端末において、
上記カム機構は、
第２の筐体に設けられ、左右方向に延びて中凹上に湾曲した曲線状の第１ガイド溝と、
第２の筐体における上記第１ガイド溝の下方に設けられた第２ガイド溝と、
第１の筐体の裏面に設けられ、上記第１ガイド溝にスライド自在に係合する第１ガイドピンと、
第１の筐体の裏面に設けられ、上記第２ガイド溝にスライド自在に係合する第２ガイドピンとを備えている
ことを特徴とする携帯端末。
【請求項６】
請求項５に記載の携帯端末において、
上記第１ガイドピンと第２ガイドピンとは、連結部材で連結され、該連結部材が上記第１の筐体の裏面側に取り付けられている
ことを特徴とする携帯端末。
【請求項７】
請求項６に記載の携帯端末において、
上記カム機構は、一端が上記第１ガイドピンに固定され、他端が第２の筐体に固定され、第１の筐体が少なくとも縦長状態又は横長状態となるように付勢する弾性部材が設けられている
ことを特徴とする携帯端末。
【請求項８】
請求項７に記載の携帯端末において、
上記弾性部材は、ねじりコイルバネである
ことを特徴とする携帯端末。
【請求項９】
請求項８に記載の携帯端末において、
上記第１ガイド溝及び第２ガイド溝は、プレス成形されたガイドプレートに設けられ、該ガイドプレートに上記ねじりコイルバネ及び連結部材がユニット組立されて上記第２の筐体に取り付けられている
ことを特徴とする携帯端末。
【請求項１０】
請求項５乃至９のいずれか１つに記載の携帯端末において、
上記第２ガイド溝は、右側又は左側に傾斜して上下方向に伸びている
ことを特徴とする携帯端末。
【請求項１１】
請求項５乃至９のいずれか１つに記載の携帯端末において、
上記第２ガイド溝は、湾曲するように上下方向に伸びている
ことを特徴とする携帯端末。
【請求項１２】
携帯電話機である
ことを特徴とする請求項１乃至１１のいずれか１つに記載の携帯端末。
【発明の詳細な説明】
【技術分野】
【０００１】
本発明は、表示部を有する携帯端末に関し、特にその表示部を縦長状態又は横長状態に切換自在に支持するものに関する。
【背景技術】
【０００２】
国内における地上デジタル放送による携帯端末向け放送サービス（ISDB-T：integrated service digital broadcasting-terrestrial）の放送が開始されたことも手伝って、携帯端末、特に携帯電話機は、ＴＶ受信機能を搭載するものが多くなってきている。
【０００３】
地上デジタルテレビ放送は、従来のアナログテレビ放送と異なり、テレビからクイズ番組に参加したり、テレビショッピングや銀行振り込みなどをテレビを通じて利用したりする、いわゆる双方向サービスを受けることができるものである。この地上デジタルテレビ放送を携帯電話機で視聴可能にした場合、表示部で画像を見ながら、操作部でキー操作をする必要がさらに高まる。通常、テレビ画像は、横長となっているため、小さい液晶表示部によってできるだけ大きくテレビ画像を見るには、液晶表示部を横長状態にする必要がある。
【０００４】
そこで、例えば、特許文献１では、本体は、複数の操作キーが配備された第１筐体と、所定のアスペクト比を有する矩形状の画面を備えたディスプレイが配備された第２筐体と、両筐体を互いに連結する連結機構とを備え、連結機構は、第１筐体に対して第２筐体を画面と平行な面に沿って回転させるための枢支機構を備えた携帯型無線端末機が開示されている。無線通信時には、画面が縦長となる画面配置形態にて表示が行われ、ＴＶ視聴時には、画面が横長となる画面配置形態にて表示が行われるようにしている。
【０００５】
また、特許文献２では、操作部が設けられた第２の筐体と表示部を有する第１の筐体とをヒンジ部で折畳み開閉自在に連結し、カム機構によって、表示部を縦長状態又は横長状態の切換操作時に、その下端側コーナー部がヒンジ部に沿って移動するように案内支持させることにより、全体の大きさを抑えながら表示部を大きくし、且つ表示部を簡単に縦長状態又は横長状態に切り換えて、横長状態でも表示部を見ながら操作部を容易に操作できるようにしている。
【特許文献１】特開２００４−２１５１８０号公報
【特許文献２】特開２００６−２１１５７６号公報
【発明の開示】
【発明が解決しようとする課題】
【０００６】
しかしながら、特許文献１では、不使用時からＴＶ視聴に至るまでの動作は、第２筐体を開き、縦長形状から横長形状に回転させ、第２筐体をスライドさせるという煩雑なものとなっている。
【０００７】
一方、特許文献２では、不使用時からＴＶ視聴に至るまでの動作は、第１の筐体を開き、縦長形状から横長形状に回転するだけでよいが、表示部と、表示部を支持する第１の筐体と、第２の筐体との３つの筐体が結合された構造となっているので、全体の厚味を薄くするには限界がある。
【０００８】
本発明は、かかる点に鑑みてなされたものであり、その目的とするところは、表示部を有する携帯端末において、容易に表示部を縦長状態又は横長状態に切換自在とすることと、全体の厚味を薄くすることとを両立させることにある。
【課題を解決するための手段】
【０００９】
上記目的を達成するために、第１の発明では、表面に上下方向に長い縦長の表示部が設けられた第１の筐体と、
上部に表面から膨出するカメラ収容部を有し、該カメラ収容部よりも下側に操作部を有する第２の筐体とを備え、
上記第１の筐体は、上記第２の筐体に設けた支持機構を介して上記第２の筐体の表面上を回転しながら、該第２の筐体の表面側から見て第２の筐体と重なり合う縦長状態又は該第２の筐体に対して垂直となる横長状態に切換自在に支持され、
上記支持機構は、カム機構よりなるものとする。
【００１０】
上記の構成によると、第１の筐体を第２の筐体の表面上で回転させることにより、縦長状態又は横長状態に切り換え、そのことで操作部が現れるので、通常の操作部の配置でキー入力可能な状態で横長状態の表示部を見ることができる。したがって、テレビショッピングなどの双方向サービスを受ける場合にも極めて容易に操作が行われる。また、支持機構が第２の筐体に設けられているので、携帯端末の全体の厚さは、第１の筐体及び第２の筐体の厚さに制限されるのみとなり、薄型化が可能である。
【００１１】
第２の発明では、第１の発明において、
上記カメラ収容部には、光学ズーム機能を備えたカメラが収容されたものとする。
【００１２】
すなわち、光学ズーム機能では、デジタルズーム機能に比べて画質劣化が発生しないが、その分、設置するのに高さが必要となる。しかし、上記の構成によると、カメラ収容部の高さの範囲内で、第２の筐体の操作部と、第１の筐体と、それを支持する支持機構とを設けることができるので、カメラに必要なスペースが有効に利用される。
【００１３】
第３の発明では、第１又は第２の発明において、
上記カム機構は、
上記第１の筐体が縦長状態又は横長状態に切換操作されるときに、一方の上端側コーナー部が上記カメラ収容部に略平行に移動するように構成されている。
【００１４】
上記の構成によると、第１の筐体がカメラ収容部に当たらないように、縦長状態又は横長状態に切り換えられるので、第１の筐体の角部を丸める必要がなく、表示部が大きなものになる。
【００１５】
第４の発明では、第１乃至第３のいずれか１つの発明において、
上記第１の筐体の横長状態における左右方向中央部は、第２の筐体の左右方向中央に位置している。
【００１６】
上記の構成によると、第１の筐体が第２の筐体に対して見映えよく配置されると共に、第２の筐体を持ったときのバランスがよい。
【００１７】
第５の発明では、第１乃至第４のいずれか１つの発明において、
上記カム機構は、
第２の筐体に設けられ、左右方向に延びて中凹上に湾曲した曲線状の第１ガイド溝と、
第２の筐体における上記第１ガイド溝の下方に設けられた第２ガイド溝と、
第１の筐体の裏面に設けられ、上記第１ガイド溝にスライド自在に係合する第１ガイドピンと、
第１の筐体の裏面に設けられ、上記第２ガイド溝にスライド自在に係合する第２ガイドピンとを備えている。
【００１８】
上記の構成によると、簡単且つコンパクトな構成で、第１の筐体がカメラ収容部に当たらないように縦長状態又は横長状態に切り換えられるので、コンパクトで操作性のよい携帯端末が得られる。また、カム機構の作用により、第１の筐体がカメラ収容部に当たらないので、第１の筐体の角部を丸める必要がなく、表示部が大きなものになる。
【００１９】
第６の発明では、第５の発明において、
上記第１ガイドピンと第２ガイドピンとは、連結部材で連結され、該連結部材が上記第１の筐体の裏面側に取り付けられている。
【００２０】
上記の構成によると、第１及び第２ガイドピンと、第１及び第２ガイド溝とがユニット構成可能であるので、組立作業が極めて容易となる。連結部材によって第１ガイドピンと第２ガイドピンとが連動し、第１の筐体が安定して回転すると共に、第１ガイドピンと第２ガイドピンとの位置決めが容易となる。
【００２１】
第７の発明では、第６の発明において、
上記カム機構は、一端が上記第１ガイドピンに固定され、他端が第２の筐体に固定され、第１の筐体が少なくとも縦長状態又は横長状態となるように付勢する弾性部材が設けられている。
【００２２】
上記の構成によると、表示部に対する弾性部材の付勢力の掛かり方を調整することで、表示部を縦長状態から横長状態へ、又は横長状態から縦長状態への切換、又はその両方への切換が弾性部材によりアシストされる。
【００２３】
第８の発明では、第７の発明において、
上記弾性部材は、ねじりコイルバネとする。
【００２４】
上記の構成によると、壊れにくい安価な弾性部材が実現される。
【００２５】
第９の発明では、第８の発明において、
上記第１ガイド溝及び第２ガイド溝は、プレス成形されたガイドプレートに設けられ、該ガイドプレートに上記ねじりコイルバネ及び連結部材がユニット組立されて上記第２の筐体に取り付けられている。
【００２６】
上記の構成によると、ガイドプレート上にねじりコイルバネと連結部材とがユニット組立された上で第２の筐体に組み付けられるので、コンパクトで組立性のよいカム機構が実現される。
【００２７】
第１０の発明では、第５乃至第９のいずれか１つの発明において、上記第２ガイド溝は、右側又は左側に傾斜して上下方向に伸びている。また、第１１の発明では、第５乃至第９のいずれか１つの発明において、上記第２ガイド溝は、湾曲するように上下方向に伸びている。
【００２８】
これらの発明によると、第２ガイド溝の形状に合わせて第１ガイド溝の形状を調整することで、適切な第１の筐体の動きが実現される。
【００２９】
第１２の発明では、第１乃至第１１のいずれか１つの発明の携帯端末は、携帯電話機とする。
【００３０】
上記の構成によると、簡単な動作で縦長状態又は横長状態に切換自在であると共に、薄型な携帯電話機が得られる。
【発明の効果】
【００３１】
以上説明したように、本発明によれば、カメラ収容部を有する第２の筐体の表面上において、第１の筐体を縦長状態又は横長状態に切換自在としたことにより、容易に表示部を縦長状態から横長状態に切換自在とすることと、全体の厚さを薄くすることとを両立させるができる。
【発明を実施するための最良の形態】
【００３２】
以下本発明の実施形態を図面に基づいて説明する。
【００３３】
図１に本発明の実施形態にかかる、縦長状態の携帯電話機を表面側から見た斜視図である。図２は、縦長状態の携帯電話機を裏面側から見た斜視図である。
【００３４】
携帯端末としての携帯電話機１は、表面に上下方向に長い縦長の液晶表示部２が設けられた第１の筐体３と、上部に表面から膨出するように設けられた直方体状のカメラ収容部６及びこのカメラ収容部６よりも下側に設けられた操作部４を有する第２の筐体５とを備えている。
【００３５】
図３〜図５に第１の筐体の状態が移り変わる際の支持機構としてのカム機構１０を第１の筐体３及び第２の筐体５の一部を破断して示す。カム機構１０は、第１の筐体３を第２の筐体５に縦長状態又は横長状態に切換操作可能に支持するためのものである。すなわち、略矩形板状の第１の筐体３は、上記第２の筐体５の表面上を回転しながら、第２の筐体５の表面側から見て第２の筐体５と重なり合う縦長状態（図１に示す）又は第２の筐体５に対して垂直となる横長状態（図５に示す）に切換自在に支持されている。
【００３６】
上記第２の筐体５のカメラ収容部６の下方に上記カム機構１０が設けられ、その下方に操作部４が設けられている。すなわち、カム機構１０と操作部４とは、上下方向にオフセットして設けられている。このため、スペースが有効に利用され、携帯電話機１の厚さが押さえられている。操作部４には、複数の操作キー７が設けられ、この操作キー７は、第１の筐体３を横長状態とし、第２の筐体５を縦長に持ったときにキー入力できるように配置され、且つその表面に表示が付されている。この操作キー７を操作することで、携帯電話機１の多数の機能が利用されるようになっている。一方、第１の筐体３の液晶表示部２の下方には、例えば、３つの機能ボタン３１が設けられている。機能ボタン３１は、例えば、通話履歴呼び出しボタン、着信履歴呼び出しボタン等よりなる。
【００３７】
この携帯電話機１では、第１の筐体３が横長状態のときには、ユーザは横長の液晶表示部２を見ながら操作部４の操作キー７を操作できる。また、縦長状態の携帯電話機１を上下方向に長手方向がくるように持ったり、左右方向に長手方向がくるように持ったりして、機能ボタン３１を操作するようになっている。図５に示すように、第１の筐体３の横長状態における左右方向中央部は、第２の筐体５の左右方向中央に位置している。このため、第１の筐体３が第２の筐体５に対して見映えよく配置されると共に、第２の筐体５を持ったときのバランスがよくなっている。
【００３８】
上記カメラ収容部６は、上記第２の筐体５の上端に左右方向に亘って設けられ、その下面は、左右に直線状に延びている。カメラ収容部６の内部には、光学ズーム機能を備えたカメラ９（図２にのみ示す）が収容されている。光学ズーム機能を有するカメラでは、デジタルズーム機能に比べて画質劣化が発生しないが、その分、設置するのに高さが必要となる。しかし、上記第２の筐体５の操作部４と、第１の筐体３と、それを支持するカム機構１０とが、カメラ収容部６の高さの範囲内に設けられているので、カメラ９に必要なスペースが有効に利用されている。なお、第２の筐体５の側面にカメラ９を操作するためのカメラ用ボタン３２が設けられている。
【００３９】
上記第１の筐体３は、カム機構１０の作用により、縦長状態における上端部も直線状に形成することができ、このことで、第１の筐体３の表面の大部分を占めるように、矩形状の液晶表示部２が設けられている。なお、第１の筐体３の各角部は上端側コーナー部３ａを含め、デザイン上又は安全上の観点等から丸面取りされている。
【００４０】
図６及び図７に縦長状態におけるカム機構１０及びマグネシウムフレーム１７を示す。第１の筐体３は、補強用のマグネシウムフレーム１７と、このマグネシウムフレーム１７に連結されるガイドプレート１６とを備えている。ガイドプレート１６は、ステンレス鋼などの板金で構成されている。マグネシウムフレーム１７は、金属成型品でもよく、プレス成形品でもよい。
【００４１】
上記カム機構１０は、第２の筐体５に設けられ左右方向に延びかつ中凹状に湾曲した曲線状の第１ガイド溝１２と、第２の筐体５に設けられ上下方向に延びる直線状の第２ガイド溝１４と、第１の筐体３の裏面に設けられ上記第１ガイド溝１２にスライド自在に係合する第１ガイドピン１３と、第１の筐体３の裏面に設けられ上記第２ガイド溝１４にスライド自在に係合する第２ガイドピン１５とを備えている。
【００４２】
すなわち、上記第１ガイド溝１２と第２ガイド溝１４とは、上記ガイドプレート１６に形成されている。第１ガイド溝１２は、中凹状に湾曲した曲線状開口の周縁部で構成され、携帯電話機１を裏面から見たときに、その中心部は第１の筐体３の右上に配置されている。第２ガイド溝１４は、第１ガイド溝１２の中凹形状の最下部近傍の下方にカメラ収容部６の下面に対して傾斜して（右側に傾斜して）設けられた直線状開口の周縁部よりなる。両ガイド溝１２，１４の第１の筐体３と反対側の面の開口周縁には、その他の部分よりも低くなった段差部１２ａ，１４ａが形成されている。このガイドプレート１６は、第２の筐体５の表面側に位置するように、その貫通孔にビス（共に図示省略）を挿通して締結するなどにより、マグネシウムフレーム１７に固定されている。
【００４３】
一方、上記第１の筐体３の裏面には、金属製の連結部材１８が装着されている。この連結部材１８は、第１の筐体３の裏面に締結又は位置決めするための貫通孔１８ａが設けられた板状の取付部１８ｂと、この取付部１８ｂから側面視Ｌ字状に連続する先端部１８ｃとを有している。上記第１ガイドピン１３は、連結部材１８の一端側、すなわち、取付部１８ｂの先端に第１の筐体３側へ垂直に延びるように設けられている。上記第２ガイドピン１５は、上記連結部材１８の他端側、すなわち、先端部１８ｃの端部に第１の筐体３側へ垂直に延びるように設けられている。これらのガイドピン１３，１５の先端に円形の円板部１３ａ，１５ａがそれぞれ形成され、この円板部１３ａ，１５ａが上記段差部１２ａ，１４ａ上をそれぞれ摺動するようになっている。このことで、ガイドピン１３，１５がガイド溝１２，１４からそれぞれ抜け止めされ、第１の筐体３が第２の筐体５から外れないようになっている。また、連結部材１８によって第１ガイドピン１３と第２ガイドピン１５とが連動し、第１の筐体３が安定して回転すると共に、第１ガイドピン１３と第２ガイドピン１５との位置決めが容易となっている。
【００４４】
上記ガイドプレート１６の上側には、バネ固定ピン１９が第１の筐体３側へ垂直に延びるように設けられている。このバネ固定ピン１９には、弾性手段としてのねじりコイルバネ２０が固定されている。このねじりコイルバネ２０の両端部２０ａ，２０ｂはリング状に形成され、その一端２０ａが、上記取付部１８ｂとガイドプレート１６との間の第１ガイドピン１３の外周に回転可能に嵌められ、他端２０ｂがバネ固定ピン１９外周に回転可能に嵌められている。このことで、ねじりコイルバネ２０は、バネ固定ピン１９を中心に左右に揺動可能に支持され、その弾性力により、第１の筐体３が縦長状態から横長状態となるのを付勢し、且つ縦長状態から横長状態となるのを付勢するように配置されている。具体的には、図９のように、第１ガイドピン１３がバネ固定ピン１９に最も近付いたとき（第２ガイドピン１５が第２ガイド溝１４の上端部に位置したとき）の近傍において、ねじりコイルバネ２０は最大たわみ角となり最も圧縮されるように配置され、そこから第１ガイドピン１３が左右いずれかの方向にずれることで、第１の筐体３が縦長状態又は横長状態となるように付勢するようになっている。
【００４５】
第１及び第２ガイドピン１３，１５と、第１及び第２ガイド溝１２，１４と、ねじりコイルバネ２０と連結部材１８とは、ユニット組立可能に構成されている。このため、組立作業が極めて容易となると共に、コンパクト化が図られている。
【００４６】
詳しくは図示しないが、第１の筐体３と第２の筐体５とを電気的に接続する信号線は、一端が液晶表示部２の裏面の液晶基板に接続され、他端が連結部材１８の近傍を通って第２の筐体５側のメイン基板に接続されている。信号線は、第１の筐体３が縦長状態又は横長状態に切り換えられる際にも、カム機構１０の動きを阻害しないように、その中間部分がマグネシウムフレーム１７の表面に設けた信号線配線用凹溝２４（図７に示す）に収納されている。
【００４７】
上記カム機構１０によって、第１の筐体３の左上の上端側コーナー部３ａがカメラ収容部６の下面に対して一定の隙間を保ちつつ、また第１の筐体３の左側面がカメラ収容部６の下面との間に僅かの隙間を持って縦長状態から横長状態に切り換えられるようになっている。
【００４８】
−作動−
次に、本実施形態にかかる携帯電話機１の作動について説明する。
【００４９】
まず、図１に示すように、待機状態では、第１の筐体３が第２の筐体５とコンパクトに重なり合う縦長状態にある。このとき、操作キー７は、第１の筐体３の下に隠れている。通常の通話は、この縦長状態で機能ボタン３１を利用して行われる。一方、新しい電話番号を入力する必要があるときには、縦長状態から図４に示す横長状態に切り換えることで、操作部４でキー入力可能となる。そして、操作キー７より入力し、その後、第１の筐体３を縦長状態に戻して通話を行う。
【００５０】
ＴＶ機能を使用するには、縦長状態にある携帯電話機１の長手方向が左右となるように両手で見ることも可能である。しかし、テレビショッピングのような双方向サービスを利用するには、操作部４を使用可能な状態でＴＶ機能を使用する。このため、第１の筐体３を縦長状態から横長状態に切り換え、ＴＶ機能ボタンを押すなどにより、視聴する。
【００５１】
カメラ９を使用するには、図１の状態で第２の筐体５の側面に設けたカメラ用ボタン３２によりカメラ９を起動させた後、カメラ９を撮影対象に向け、その構図を液晶表示部２で確認しながらカメラ用ボタン３２を操作して撮影を行う。
【００５２】
このように、携帯電話機１の各機能を使用する際に、第１の筐体３を縦長状態又は横長状態に切り換える必要がある場合がある。この際、第１の筐体３を第２の筐体５の表面上で回転させることにより、縦長状態又は横長状態に切り換えることができる。カム機構１０に設けたねじりコイルバネ２０によって、第１の筐体３を縦長状態から横長状態へ、及び横長状態から縦長状態への切換がアシストされるので、切換操作が片手のみで極めて容易に行われる。
【００５３】
−実施形態の効果−
したがって、本実施形態にかかる携帯電話機１によると、カメラ収容部６を有する第２の筐体５の表面上において、第１の筐体３を縦長状態又は横長状態に切換自在としたことにより、容易に液晶表示部２を縦長状態から横長状態に切換自在とすることと、全体の厚さを薄くすることとを両立させることができる。
【００５４】
また、切換の際には、第１の筐体３がカメラ収容部６に当たらないように、縦長状態又は横長状態に切り換えられるので、第１の筐体３の角部を丸める必要がなく、液晶表示部２を大きなものとすることができる。
【００５５】
また、カム機構１０が第２の筐体５に設けられているので、携帯電話機１全体の厚さは、第１の筐体３及び第２の筐体５の厚さに制限されるのみとなり、薄型化が可能である。
【００５６】
さらに、カム機構１０により、簡単且つコンパクトな構成で、第１の筐体３がカメラ収容部６に当たらないように縦長状態又は横長状態に切り換えられるので、コンパクトで操作性のよい携帯電話機１が得られる。
【００５７】
（その他の実施形態）
本発明は、上記実施形態について、以下のような構成としてもよい。
【００５８】
すなわち、上記実施形態では、第２ガイド溝１４は、右側に傾斜する方向に上下に伸びているが、第２ガイド溝１４は、上下方向に直線状に伸びていても、湾曲して伸びていてもよい。すなわち、第２ガイド溝１４の形状に合わせて第１ガイド溝１２の形状を調整することで、適切な第１の筐体３の動きが実現される。
【００５９】
上記実施形態では、携帯端末は、携帯電話機としたが、ＰＣ、モバイルツール、電子辞書、電卓、複写機等であってもよい。また、ＰＨＳ、ＰＤＡなどの携帯通信機器であってもよい。
【００６０】
上記実施形態では、第１の筐体３は、液晶表示部２を有しているとしたが、有機ＥＬディスプレイを有していてもよい。有機ＥＬディスプレイは、自発光を発するため消費電力が小さく、液晶ディスプレイに比べて視野角が広く、且つバックライトを必要としないため、薄型化が可能である。
【００６１】
なお、以上の実施形態は、本質的に好ましい例示であって、本発明、その適用物や用途の範囲を制限することを意図するものではない。
【図面の簡単な説明】
【００６２】
【図１】本発明の実施形態に係る携帯電話機における第１の筐体が縦長状態にあるときの様子を表面側から見た斜視図である。
【図２】本発明の実施形態に係る携帯電話機における第１の筐体が縦長状態にあるときの様子を裏面側から見た斜視図である。
【図３】第１の筐体が縦長状態にあるときの携帯電話機を一部破断して示す斜視図である。
【図４】第１の筐体が縦長状態から横長状態に切り換わる途中を示す図３相当図である。
【図５】第１の筐体が横長状態にあるときの図３相当図である。
【図６】縦長状態におけるカム機構及びマグネシウムフレームを表面側から見た斜視図である。
【図７】縦長状態におけるカム機構及びマグネシウムフレームを裏面側から見た斜視図である。
【図８】縦長状態におけるカム機構を示す正面図である。
【図９】縦長状態から約４５°回転された状態における図８相当図である。
【図１０】横長状態における図８相当図である。
【符号の説明】
【００６３】
１      携帯電話機（携帯機器）
２      液晶表示部（表示部）
３      第１の筐体
３ａ    上端側コーナー部
４      操作部
５      第２の筐体
６      カメラ収容部
９      カメラ
１０      カム機構（支持機構）
１２      第１ガイド溝
１３      第１ガイドピン
１４      第２ガイド溝
１５      第２ガイドピン
１６      ガイドプレート
１８      連結部材
２０      ねじりコイルバネ（弾性手段）
２０ａ    一端
２０ｂ    他端
【図１】
2008244542.tif 000003
【図２】
2008244542.tif 000004
【図３】
2008244542.tif 000005
【図４】
2008244542.tif 000006
【図５】
2008244542.tif 000007
【図６】
2008244542.tif 000008
【図７】
2008244542.tif 000009
【図８】
2008244542.tif 000010
【図９】
2008244542.tif 000011
【図１０】
2008244542.tif 000012